(57)【要約】【課題】本発明は、吸込口と吐出口とが同一方向に配置される単独運転用ポンプユニットに好適な、コンパクト、かつ簡単な構造のバイパス配管ユニットを提供する。【解決手段】本発明のバイパス配管ユニット１６は、ポンプユニット１の吸込口９、吐出口１１の位置に合わせて吸込側・吐出側の三方弁２０，２１を配置し、これら三方弁２０，２１の一部を活用してバイパス路４６を形成し、同バイパス路４６内、さらには吸込側三方弁２０の口部２５内に逆止弁部４８，４９を収めてユニット化して、制約の有る吸込口９、吐出口１１が同一方向に配置されるポンプユニット１に直接接続で組合う最適な構造とした。【選択図】    図２
2005009141.tif 000002
【特許請求の範囲】
【請求項１】
同一方向に向いて並行に配置された吸込口と吐出口とを有する単独運転用ポンプユニットの前記吸込口に対応して配置され、外部から流体を受け入れる第１吸込口部、該流体を前記吸込口へ導く該吸込口と接続可能な第２吸込口部、さらに第３口部を有し、前記第１吸込口部と前記第２吸込口部および前記第３口部とが連通する第１モードと、前記第１吸込口部と前記第３口部とが連通する第２モードとを切換え可能とした吸込側の三方弁と、
前記単独運転用ポンプユニットの前記吐出口に対応して配置され、前記吐出口から流体を受け入れる該吐出口と接続可能な第１吐出口部、該流体を外部へ導く第２吐出口部、さらに第３口部を有し、前記第１吐出口部と前記第２吐出部および前記第３口部とが連通する第１モードと、前記第２吐出口部と前記第３口部とが連通する第２モードとを切換え可能とした吐出側の三方弁と、
前記吸込側および前記吐出側の三方弁の各第３口部を相手側の三方弁へ延ばし各端部を嵌挿させて構成されたバイパス路と、
前記パイパス路内に収められ、吐出側の三方弁から吸込側の三方弁への流れ込みを規制する第１逆止弁部と、
前記吸込側の三方弁の第２吸込口部内に収められ、該第２吸込口部へ流れ込みを規制する第２逆止弁部と
を具備してなることを特徴とする単独運転用バイパス配管ユニット。
【請求項２】
前記バイパス路は、前記吸込側の三方弁と前記吐出側の三方弁との間を最短距離で結ぶ最短の経路で形成してあることを特徴とする請求項１に記載の単独運転用バイパス配管ユニット。
【請求項３】
前記バイパス路は、前記第１逆止弁部から前記吸込側の三方弁までの間の流路を形成する第３口部の壁部に、圧力検出器が設置可能な設置座が形成してあることを特徴とする請求項１または請求項２に記載の単独運転用バイパス配管ユニット。
【請求項４】
同一方向に向いて並行に配置された吸込口と吐出口とを有する単独運転用ポンプユニットに、前記吸込口と前記吐出口とに接続された前記請求項１ないし請求項３のいずれか一つに記載の単独運転用バイパス配管ユニットを組付けて構成されることを特徴とする単独運転用ポンプ装置。
【発明の詳細な説明】
【０００１】
【発明の属する技術分野】
本発明は、例えば給水装置に用いられるバイパス配管ユニットおよびそのバイパス配管ユニットが付いた単独運転用ポンプ装置に関する。
【０００２】
【従来の技術】
アパート、マンションなど集合住宅では、水道本管から延びる水道管と、家庭の蛇口につながる給水配管との間に給水用のポンプ装置を接続して、水道管からの圧力水を直接、ポンプ装置で増圧して、家庭へ供給することが行われている（直接給水式）。
【０００３】
こうした給水に用いられるポンプ装置には、高配水時、すなわち水道管の圧力で必要な給水圧力が確保されるときは（十分に押込圧力が高いとき）、直接、水道管からの圧力水を給水管へ導けるようにするため、吸・吐出口側にバイパス配管構造を組付けることが行われている。
【０００４】
従来、バイパス配管構造には、複数台のポンプが搭載されたポンプユニットの各吸込口と吸込ヘッダ管、各吐出口と吐出ヘッダ管との間にそれぞれ汎用品の三方弁を設け、吸込ヘッダと吐出ヘッダとの間にバイパス配管を組付け、バイパス配管の途中と吸込ヘッダの入口とにそれぞれ汎用品の逆止弁（逆流防止装置）を接続した構造が用いられる（例えば特許文献１を参照）。これにより、ポンプ装置の交互運転が行え（三方弁による流路切換えによる）、またポンプ装置からの逆流を防ぎつつ、ポンプ装置の吸込圧力が目標圧力を超えると、水道管からの圧力水がバイパス路を通じて吐出側へバイパスされるようにしている。
【０００５】
【特許文献１】
特開２００１−１６４６０６号公報
【０００６】
【発明が解決しようとする課題】
戸建ての家屋でも、上階に水を使う場所が多くなり、上記と同様、直接給水式を用いて、水道管からの圧力水を増圧して給水するケースが多くなっている。
【０００７】
戸建ての多くは、限られた狭いスペースに、できるだけ省スペースで配管や配管に付く機器が敷設されるため、コンパクトな外形のポンプ装置、すなわち一台のポンプの運転で給水するポンプ装置、特に吸込口と吐出口とが、同一方向に向いて並行に配置された単独運転用ポンプユニットが多く用いられる。
【０００８】
ところで、上記した従来のバイパス配管構造は、汎用品の三方弁、配管部材、逆止弁を接続した構造である。しかも、汎用品の逆止弁の外形はかなり大きい。このため、構造上、構造物の全体は大きく複雑になる傾向にある。
【０００９】
戸建の場合は、上記した単独運転用ポンプユニットに、このようなバイパス配管構造が組付くことになるが、通常、単独運転用ポンプユニットの吸込口と吐出口とは、比較的に近い距離で並行に配置されるために、バイパス配管構造は、吸込口と吐出口とには、直接、接続できない。このため、戸建ての場合、バイパス配管構造は、単独運転用ポンプユニットのポンプとは、離れた地点に、別置きで設置して、間接的にポンプと接続すること強いられる。
【００１０】
このためバイパス配管構造により、ポンプユニット廻りが複雑になったり、大形になったりする難点がある。
【００１１】
そのため、本発明の目的は、吸込口と吐出口とが同一方向に配置される単独運転用ポンプユニットに好適な、コンパクト、かつ簡単な構造のバイパス配管ユニットおよびそのバイパス配管ユニットが付いた単独運転用ポンプを提供することにある。
【００１２】
【課題を解決するための手段】
上記目的を達成するために請求項１に記載の発明は、単独運転用ポンプユニットの同一方向に向いて並行に配置された吸込口と吐出口とに対応して、これら吸込口、吐出口と接続可能な吸込側の三方弁と吐出側の吐出弁とを配置し、これら吸込側および吐出側三方弁の第３の各口部を相手側へ延ばして双方の端部を嵌挿させてバイパス路を構成し、このバイパス路内と、ポンプユニットの吸込口と接続する吸込側三方弁の口部内に、それぞれ逆止弁部を収めてユニット化した構成を採用した。
【００１３】
同構成により、バイパス路は、単独運転用ポンプユニットの吸込口、吐出口と接続可能な三方弁の一部を活用した構造で、単独運転用ポンプユニットの吸込口と吐出口との間に形成される。しかも、逆止作用は当該三方弁の一部で形成されるバイパス路内、口部内に収めた逆止弁部に確保される。
【００１４】
それ故、バイパス配管ユニットは、汎用の配管部材や逆止弁を組み合わせた構造とは異なり、単独運転用ポンプユニットに好適な構造、すなわち単独運転用ポンプユニットに直接的に接続が可能な、省スペースに優れた簡単な構造、かつコンパクトな構造になる。
【００１５】
請求項２に記載の発明は、上記目的に加え、できるだけコンパクトな構造となるよう、バイパス路は、吸込側三方弁と吐出側三方弁との間を最短距離で結ぶ最短の経路で形成した。
【００１６】
請求項３に記載の発明は、上記目的に加え、さらに吸込圧力の検出で単独運転用ポンプユニットの制御しても、コンパクト化が損なわれないよう、バイパス路のうちの第１逆止弁部から吸込側三方弁までの間の流路を形成する口部の壁部に、圧力検出器が設置可能な設置座を形成した。
【００１７】
請求項４に記載の発明は、さらにコンパクトな単独運転用ポンプ装置が提供できるよう、同一方向に向いて並行に配置された吸込口と吐出口とを有する単独運転用ポンプユニットに、請求項１ないし請求項３のいずれか一つに記載の単独運転用バイパス配管ユニットを組付ける構成を採用した。
【００１８】
【発明の実施の形態】
以下、本発明を図１〜図４に示す第１の実施形態にもとづいて説明する。
【００１９】
図１（ａ）は例えば家庭用の給水に用いられる単独運転用ポンプ装置Ｐの側断面図、同図（ｂ）は同装置Ｐの一部正面図、図２は同装置Ｐの平断面図、図３は同装置Ｐの概略的な構成を示している。
【００２０】
各図中１は単独運転用ポンプユニット（以下、単にポンプユニットという）を示している。同ポンプユニット１は、例えば矩形状のポンプベース２上に、モータ３とポンプ部４とを直結した縦形のポンプ５（一台）、アキュムレータ６、電装箱で構成される制御盤７などを搭載した構造が用いられている。そして、ポンプ部４から続く吸込用口部８がベース２の一辺に向かい延びていて、同一辺の一側寄りの地点で、端部を開口させている。この端部が例えばフランジ状に形成してある。この横向き開口端により、横方向に開口する吸込口９を形成している。またポンプ部４から続く吐出用口部１０は、同じくベース２の一辺に向かい延びていて、同一辺の他側寄りの地点で、端部を開口させている。この端部が例えばフランジ状に形成してある。この横向きの開口端により、吸込口９と並行に配置される吐出口１１を形成している。なお、アキュムレータ６は吐出用口部１０で形成される吐出流路に連通している。また吐出用口部１０で形成される吐出流路には、図１〜図３に示されるように同流路内における吐出圧力を検出する圧力検出器１２（図３のみに図示：吐出側圧力検出器）、同じく吐出流量を検出する流量検出検出器１３（吐出側流量検出器）が設けてある。制御盤７は、こうした圧力検出器１２、流量検出検出器１３からの検出情報にしたがいモータ３を制御して、ポンプ５の能力を制御する機能をもつ。なお、ポンプベース２上の各機器の周囲はポンプカバー１４で覆ってある。
【００２１】
このポンプユニット１の同一方向に向く吸込口９、吐出口１１には、直接接続式でバイパス配管ユニット１６が組み付けてある。
【００２２】
このバイパス配管ユニット１６の構造について説明すると、２０は、吸込口９が有る位置に合わせて配置された吸込側三方弁、２１は吐出口１１が有る地点に合わせて配置された吐出側三方弁である。
【００２３】
吸込口９、吐出口１１に対応して配置された三方弁２０，２１のうち、吸込側三方弁２０は、図２および図３に示されるように例えばバルブハウジング２３で形成される弁室２３ａ（図３のみに図示）にボール状の弁体２４を収めた構造が用いられている。具体的には、バルブハウジング２３からは、吸込口９へ向かい短管状に突き出る口部２５（本願の第２吸込口部に相当）が形成されている。なお、口部２５は弁室２３ａと連通している。この口部２５の端部は例えばフランジ状に開口していて、吸込口９と組合う吸込み側の出口を形成している。またバルブハウジング２３のうち、口部２４と弁室２３ａを挟んで反対側、例えば１８０°反対となるバルブハウジング２３の部位からは、同方向へ延びる口部２６（本願の第１吸込口部に相当）が形成されている。この口部２６の先端部には、例えば内面にねじ部２７が形成された筒形の締結部品２８が固定されていて、水道管（図示しない）と接続可能な吸込側の入口２９を形成している。なお、口部２６は弁室２３ａと連通している。また入口２９と出口との間の中間、例えばバルブハウジング２３の吐出側三方弁２１側の部位からは、相手となる吐出側三方弁２１へ向かって延びる中間の口部３０（第３口部に相当）が形成されている。なお、口部３０は弁室２３ａと連通している。一方、図３に示されるように弁体２４の内部には、各口部２５，２６，３０の相互間を連通可能としたＴポート３１が形成されている。また弁体２４は、バルブハウジング２３外、例えばバルブハウジング２３の直上に配置したバルブ操作部、例えばＩ形の操作ハンドル３２に接続されていて、操作ハンドル３２で行われる手動の時計方向あるいは反時計方向の回動操作により、図３に示されるような口部２５，２６，３０が連通する流路の切換え（本願の第１モードに相当）が行われたり、図４に示されるような口部２６と口部３０との間だけが連通する流路の切換え（本願の第２モードに相当）が行われる構造にしてある。
【００２４】
吐出側の三方弁２１は、吸込側三方弁２０と同様、図２および図３に示されるように例えばバルブハウジング３３で形成される弁室３３ａ（図３のみに図示）にボール状の弁体３４を収めた構造が用いられている。吐出側三方弁２１も、吸込側三方弁２０と同様の構造が用いられている。具体的には、バルブハウジング３３からは、吐出口１１へ向かい短管状に突き出る口部３５（本願の第１吐出口部に相当）が形成されている。この口部３５の端部は例えばフランジ状に開口していて、吐出口１１と組合う吐出側の入口を形成している。またバルブハウジング３３のうち、口部３５と弁室３３ａを挟んで反対側、例えば１８０°反対となるバルブハウジング３３の部位からは、同方向へ延びる口部３６（本願の第２吐出口部に相当）が形成されている。この口部３６の先端部には、例えば内面にねじ部３７が形成された筒形の締結部品３８が固定されていて、家庭の蛇口につながる給水配管（いずれも図示しない）と接続可能な吐出側の出口３９を形成している。また入口と出口３９との間の中間、例えばバルブハウジング３３の吸込側三方弁２０側の部位からは、相手となる吸込側三方弁２０へ向かって延びる中間の口部４０（第３口部に相当）が形成されている。なお、口部３５，３６，４０は弁室３３ａと連通している。一方、図３に示されるように弁体３３ａの内部には、各口部３５，３６，４０の相互間を連通可能としたＴポート４１が形成されている。また弁体３３ａは、バルブハウジング３３外、例えばバルブハウジング３３の直上に配置したバルブ操作部、例えばＩ形の操作ハンドル４２に接続されていて、操作ハンドル４２で行われる手動の時計方向あるいは反時計方向の回動操作により、図３に示されるような口部３５，３６，４０が連通する流路の切換え（本願の第１モードに相当）が行われたり、図４に示されるような口部３６と口部４０との間だけが連通する流路の切換え（本願の第２モードに相当）が行われたりする構造にしてある。
【００２５】
また口部３０，４０の端部は、図２に示されるように互いに嵌挿されている。嵌まる両壁面間には、シール部材、例えばＯリング４５が介装されていて、嵌挿した部分をシールにしている。この構造により、三方弁２０，２１間に、双方の中間の口部３０，４０を最短距離となる直線状の経路で結んだバイパス路４６を形成している。これにより、操作ハンドル３２，４２によって、口部２５，２６，３０間の連通、口部３５，３６，４０間の連通という、第１の通水ポジションに位置決めると、水道管から受け入れる水（圧力水：流体）がポンプユニット１の吸込口９へ導入される。と共に吐出側三方弁２１側へバイパス可能になる。また操作ハンドル３２，４２によって、口部２６と口部３０とだけを連通、口部３６と口部４０とだけを連通するという、第２の通水ポジションに位置決めると、水道管からの受け入れた水（圧力水：流体）の全てがバイパス路４６を通じて三方弁２１側へバイパスされるようにしている。
【００２６】
図２に示されるようにバイパス路４６内の一部には、例えば他の部分より大径にした部分で形成される弁室４６ａが設けられている。この弁室４６ａ内には、例えばばねの弾性力で開閉される弁体（いずれも図示しなし）が内蔵された逆止弁部品で構成される逆止弁部４８（第１逆止弁部に相当）が収めてある。逆止弁部４８は、吐出側三方弁２１から吸込側三方弁２０への流れ込みを規制する向きに配置されていて、第１通水ポジション時、ポンプユニット１の吸込圧力、すなわち水道管の水の圧力が所定圧力（目標圧力）を超えると、水道管からの圧力水がバイパス路４６を通じて、吐出側三方弁２１へ導入される構造にしてある。
【００２７】
また図２に示されるように吸込側三方弁２０の口部２５内にも、例えばばねの弾性力で開閉される弁体（いずれも図示しなし）が内蔵された逆止弁部品で構成される逆止弁部４９（第２逆止弁部に相当）が収めてある。逆止弁部４９は、吸込口９から吸込側三方弁２への流れ込みを規制する向きに配置されている。この逆止弁部４９により、第１通水ポジション時、ポンプユニット１からの逆流を防げるようにしている。
【００２８】
またバイパス路４６の逆止弁部４８を挟んだ吸込側三方弁２０側の壁部分には、例えば図１（ｂ）に示されるように上壁部分に取付座５０（本願の設置座に相当）が形成されている。この取付座５０には、吸込圧力を検出する吸込圧力用圧力検出器５１（本願の圧力検出器に相当：以下、単に圧力検出器５１という）が口金部５１ａを介して組み付けられている。但し、５０ｂは口金部５１ａに付いたコックを示す。この圧力検出器５１により、ポンプ５の一次側の吸込圧力が検出される構造にしてある。むろん、圧力検出器５１は制御盤７に接続される。なお、制御盤７には、水道本管への影響を抑えるために圧力検出器５１から吸込圧力が例えば所定の最下限値以下になると、ポンプ５の運転（ポンプユニット１の運転）を停止させる機能が設定してある。
【００２９】
こうした構成により、吸込口９、吐出口１３が同一方向に配置されるポンプユニット１に適したバイパス配管ユニット１６を構成している。そして、バイパス配管ユニット１６の口部２５がポンプ５の吸込口９に着脱可能に接続、例えばフランジ結合され、バイパス配管ユニット１６の口部３５がポンプ５の吐出口１１とが着脱可能に接続、例えばフランジ結合され、バイパス配管ユニット１６付き単独運転用ポンプ装置Ｐを構成している。このバイパス配管ユニット１６付き単独運転用ポンプ装置Ｐの各口部２６，３６に、水道本管からの水道管、蛇口につながる給水配管（いずれも図示しない）が接続され、水道水を増圧して給水したり、水道本管圧力のみでの給水を可能にしている。
【００３０】
すなわち、自動給水運転（圧力検出器１２、流量検出検出器１３の検出情報で、ポンプ５の始動・停止制御が行われる運転）のときは、吸込側の三方弁２０を、操作ハンドル３２の操作により、図３に示されるように口部２５，２６，３０が連通する通水ポジションに位置決め、吐出側の三方弁２１を、操作ハンドル４２の操作により、図３に示されるように口部３５，３６、４０が連通する通水ポジションに位置決める。
【００３１】
このとき、水道管からの圧力水（流体）が目標圧力を下回っているとする。すると、この圧力水は、図３中の実線の矢印Ａで示されるように吸込側三方弁２０の口部２６、弁体２４、逆止弁部４９、口部２５を通じて、ポンプ５の吸込口９へ導かれる。そして、運転するポンプ５により、同圧力水の増圧が行われ、必要な給水圧力まで高める。この必要な給水圧力となった水道水がポンプ５の吐出口１１から吐出され、同水道水が、吐出側三方弁２１の口部３５、弁体３４、口部３６を通じて、給水配管へ供給される。
【００３２】
このポンプ５の運転中、水道本管からの圧力が高く、水道管の圧力が高配に適した目標圧力を超える圧力なったとする。すると、バイパス路４６内の逆止弁部４８が開き、図３中の破線の矢印Ｂで示されるようにバイパス路４６を通じて、吸込側三方弁２０の口部３０から、水道水が吐出側三方弁２１の口部４０へ流入する。一方、ポンプ５は、吐出圧力（吐出側の圧力検出器１２による）が所定の目標圧力以上になることを受けて運転が停止する。ここで、吸込側三方弁２０の口部２５内には逆止弁部４９が組込まれているから、水道管からの水道水は、逆流なく、給水配管へバイパスされ、ポンプ５の運転を抑えた給水が行われる。
【００３３】
但し、ポンプユニット１の運転中、吸込圧力（吸込側の圧力検出器５１による）が下限の所定圧力値以下になると、ポンプ５の運転が停止され、ポンプ５の運転（始動）による水道本管への影響を回避する。
【００３４】
万一、ポンプ５の故障やメンテナンスなどで、ポンプ運転が期待できないような状況になった場合は、図４に示されるように吸込側三方弁２０を、操作ハンドル３２の操作から口部２６，３０が連通する通水ポジションに位置決め、吐出側三方弁２１を、操作ハンドル４２の操作から口部３６，４０が連通する通水ポジションに位置決めて、水道管からの水道水の全てを、逆止弁部４８の有るバイパス路４６へ導入させる。これにより、ポンプ５の使用できない状況でも、水道管の圧力が目標圧力を超えていれば、水道本管圧力のみでの給水が可能となり、断水が回避される。
【００３５】
このようにバイパス配管ユニット１６は、ポンプユニット１の吸込口９、吐出口１１の位置に合わせて吸込側・吐出側の三方弁２０，２１を配置し、これら三方弁２０，２１の一部を活用してバイパス路４６を形成し、同バイパス路４６内、さらには吸込側三方弁２０の口部２５内に逆止弁部４８，４９を収めてユニット化してあるから、従来の汎用の配管部材や逆止弁を組み合わせたバイパス配管構造とは異なり、省スペースに優れたコンパクトでかつ簡単な構造でありながら、ポンプユニット１からの逆流を防ぎつつ、吸込圧力が目標圧力を超えると、水道管からの圧力水をバイパス路４６から吐出側へバイパスさせたり、水道本管圧力だけの給水が可能となる機能は確保される。
【００３６】
それ故、バイパス配管ユニット１６は、従来のような別置きにせずに、直接接続式で、かなりの制約の有る吸込口９、吐出口１１が同一方向に接近して並ぶポンプユニット１に容易に接続することができる。つまり、制約の有るポンプユニット１に好適なバイパス配管ユニット１６が提供できる。特にバイパス路４６は、吸込側三方弁２０と吐出側三方弁２１との間を最短距離で結ぶ最短の経路で形成してあるので、バイパス配管ユニット１６はコンパクト化の点で優れる。
【００３７】
そのうえ、バイパス路４６の壁部は、圧力検出器５１を設置する取付座５０を形成する構造としてあるので、圧力検出器５１を設置して、吸込圧力でポンプ５の運転を制御する構造を用いても、コンパクトなバイパス配管ユニット１６は損なわれずにすむ。
【００３８】
特に予めバイパス配管ユニット１６を組付けた単独運転用ポンプ装置Ｐは、バイパス配管ユニット１６がもつコンパクト性を活かして、省スペースに優れた装置が実現できる。
【００３９】
図５は、本発明の第２の実施形態を示す。
【００４０】
本実施形態は、第１の実施形態のようにバイパス路４６に圧力検出器５１を設置する構造でなく、吸込側三方弁２０の口部２５内、例えば弁室２３ａと逆止弁部４９との間の口部２５の壁部に取付座５０を形成して、同取付座５０に圧力検出器５１を取付けるようにしたものである。
【００４１】
このようにしても第１の実施形態と同様の効果を奏する。但し、図５において第１の実施形態と同一部分には同一符号を附してその説明を省略した。
【００４２】
なお、本発明は上述した各実施形態に限定されるものではなく、本発明の主旨を逸脱しない範囲内で種々変更して実施しても構わない。
【００４３】
【発明の効果】
以上説明したように請求項１の発明によれば、単独運転用ポンプユニットの吸込口、吐出口と接続可能な吸込・吐出側三方弁、同三方弁の一部を活用して形成されるバイパス路内、さらには吸込側三方弁の口部内に逆止弁部を収める構造により、単独運転用ポンプユニットに好適な構造、すなわち単独運転用ポンプユニットの同一方向に配置される吸・吐出口に直接的に接続が容易な、コンパクトで簡単な構造のバイパス配管ユニットが提供できる。
【００４４】
請求項２に記載の発明によれば、さらにバイパス配管ユニットのコンパクト化を一層、図ることができるといった効果を奏する。
【００４５】
請求項３に記載の発明によれば、さらに吸込圧力の検出で単独運転用ポンプユニットの制御しても、コンパクト化が損なわれずにすむといった効果を奏する。
【００４６】
請求項４に記載の発明によれば、バイパス配管ユニットを活用して、コンパクトで省スペース性に優れる単独運転用ポンプ装置が提供できるといった効果を奏する。
【図面の簡単な説明】
【図１】（ａ）は、本発明の第１の実施形態に係るバイパス配管ユニットを、同ユニットが付くポンプユニットと共に示す側断面図。
（ｂ）は、同じく一部正面図。
【図２】同じく平断面図。
【図３】同じく概略構成を示す図。
【図４】水道本管からの圧力水をそのまま給水に供するときの流れを示す図。
【図５】本発明の第２の実施形態の要部を示す図。
【符号の説明】
１…ポンプユニット、５…ポンプ、９…吸込口、１１…吐出口、１６…バイパス配管ユニット、２０…吸込側三方弁、２１…吐出側三方弁、２４…弁体、２５，２６，３０…口部（第１吸込口部、第２吸込口部、第３口部）、３４…弁体、３５，３６，４０…口部（第１吐出口部、第２吐出口部、第３口部）、４６…バイパス路、４８，４９…第１，第２逆止弁部、５０…取付座（設置座）、５１…圧力検出器、Ｐ…単独運転用ポンプ装置。
【図１】
2005009141.tif 000003
【図２】
2005009141.tif 000004
【図３】
2005009141.tif 000005
【図４】
2005009141.tif 000006
【図５】
2005009141.tif 000007